(57)【要約】  本発明は液化天然ガスの保存タンク及びその製造方法に関するものとして、超低温状態の液体である液化天然ガスを保存するタンクを単純化して組立工程を短縮すると同時に、液密性を堅固に維持しながら機械的変形による応力をより容易く解消し、液化天然ガスの気化に伴う損失を最小化できる液化天然ガスの保存タンクを提供することを目的とする。上述の目的を果たすために、本発明による液化天然ガスの保存タンクは構造物の内部に設置されて、液化天然ガスを保存する保存タンクとして、二個の連続する密封壁及び二個の断熱壁を含み、上述の密封壁の中で一次密封壁は保存タンクに保存される液化天然ガスと接触し、その下部に一次断熱壁、二次密封壁、及び二次断熱壁の順に配置する保存タンクにおいて、上述の一次密封壁が、上述のタンクの底面と機械的に結合されるアンカー部によって支持され、上述の断熱壁が、上述の一次密封壁とタンクの内壁面との間に多少のスライディングができるように設置される。
2007525624.tif 000002
【特許請求の範囲】
【請求項１】
二個の連続する密封壁及び二個の断熱壁を含み、前記密封壁の中で一次密封壁は、保存タンクに保存される液化天然ガスと接し、その下部に一次断熱壁、二次密封壁、及び二次断熱壁の手順で配置される液化天然ガスの保存タンクにおいて、前記一次密封壁は、前記タンクの底面と機械的に結合されるアンカー部によって支持され、前記断熱壁は、前記一次密封壁とタンクの底面の間にスライディングできるように設置されることを特徴とする、液化天然ガスの保存タンク。
【請求項２】
前記一次断熱壁及び二次断熱壁は、前記二次密封壁の上下部面にそれぞれ接着剤で接着されることを特徴とする、請求項1に記載の液化天然ガスの保存タンク。
【請求項３】
前記二次断熱壁は、ポリウレタンフォーム材質の断熱材と、その下部面に接着されるプライウッド材質の板材とを含むことを特徴とする、請求項1又は2に記載の液化天然ガスの保存タンク。
【請求項４】
前記一次断熱壁は、ポリウレタンフォーム材質の断熱材と、その上下部面に接着されるプライウッド材質の板材とを含むことを特徴とする、請求項1又は2に記載の液化天然ガスの保存タンク。
【請求項５】
前記二次密封壁の材質は、アルミニウムシーツ又は可撓性シーツであることを特徴とする、請求項1又は2に記載の液化天然ガスの保存タンク。
【請求項６】
前記二次密封壁は、前記一次断熱壁及び二次断熱壁の側面から突出するように形成されることを特徴とする、請求項1又は2に記載の液化天然ガスの保存タンク。
【請求項７】
前記一次密封壁は、ステンレス材質であることを特徴とする、請求項1又は2に記載の液化天然ガスの保存タンク。
【請求項８】
前記一次密封壁は、しわ部が形成されることを特徴とする、請求項1又は2に記載の液化天然ガスの保存タンク。
【請求項９】
前記二次断熱壁の間に形成される空間部は、ポリウレタンフォーム材質の断熱材で充填されることを特徴とする、請求項1又は2に記載の液化天然ガスの保存タンク。
【請求項１０】
前記一次断熱壁の間に形成される空間部は、グラスウール材質の断熱材で充填されることを特徴とする、請求項1又は2に記載の液化天然ガスの保存タンク。
【請求項１１】
前記二次密封壁は、前記断熱壁が形成する側面の空間部に延長され、前記延長された二次密封壁の端部は、上部固定板及び下部固定板によって結合され、前記上部固定板及び下部固定板の結合面は、前記二次密封壁の端部が挿入できるように形成された凹部を含めることを特徴とする、請求項1又は2に記載の液化天然ガスの保存タンク。
【請求項１２】
前記凹部は、屈曲して形成されることを特徴とする、請求項11に記載の液化天然ガスの保存タンク。
【請求項１３】
前記下部固定板及び上部固定板の結合体は、その縦方向に多少の屈曲が存在して多少余分の長さを有することを特徴とする、請求項11に記載の液化天然ガスの保存タンク。
【請求項１４】
前記二次密封壁は、上部面と下部面に樹脂が塗布され、前記樹脂を圧搾して結合することを特徴とする、請求項1又は2に記載の液化天然ガスの保存タンク。
【請求項１５】
前記樹脂材は、硬化性樹脂であることを特徴とする、請求項14に記載の液化天然ガスの保存タンク。
【請求項１６】
前記凹凸部は、相互に対向するように形成されることを特徴とする、請求項14または15に記載の液化天然ガスの保存タンク。
【請求項１７】
前記タンクの内部のコーナー部に結合されるコーナー構造体と、
前記タンクの内部の平面上で、スライディング移動ができるように位置する平面構造体と、
前記タンクの底面に結合されて、前記平面構造体を前記タンクの内部に付着させるアンカー構造体とを、
含めることを特徴とする、請求項1又は2に記載の液化天然ガスの保存タンク。
【請求項１８】
前記平面構造体は、平面部の二次断熱壁と、その上部面に形成される平面部の二次密封壁及びその上部面に形成される平面部の一次断熱壁とが設置される、予備組立体として製作されることを特徴とする、請求項17に記載の液化天然ガスの保存タンク。
【請求項１９】
前記アンカー構造体は、前記平面構造体が合うコーナー部位に機械的に固定される、アンカー下部板に固定されるアンカーロッドと、前記アンカーロッドに中心部を挿入し固定して、前記平面部の二次断熱壁に同一の高さで設置されるアンカー部の二次断熱壁と、前記アンカーロッドに中心部を挿入してアンカー部の二次断熱壁の上部面に固定されながら、隣接する平面部の二次密封壁に機械的に締結されるアンカー部の二次密封壁と、前記アンカーロッドに中心部を挿入して、アンカー部の二次密封壁の上部面に固定されるアンカー部の一次断熱壁と、前記アンカー部の一次断熱壁の上部中心部である前記アンカーロッドの上端部に固定される上部キャップとを含むことを特徴とする、請求項17に記載の液化天然ガスの保存タンク。
【請求項２０】
前記アンカー下部板は、それに接する平面構造体の二次断熱壁の下部板材を、船体内部面に固定することを特徴とする、請求項19に記載の液化天然ガスの保存タンク。
【請求項２１】
前記アンカー部の二次密封壁は、外周部面に形成されたしわ部を含めることを特徴とする、請求項19又は20に記載の液化天然ガスの保存タンク。
【請求項２２】
前記アンカー部の二次密封壁は、前記アンカー部の一次断熱壁の側面から突出するように形成されることを特徴とする、請求項19又は20に記載の液化天然ガスの保存タンク。
【請求項２３】
前記アンカー部の一次断熱壁とアンカー部の二次断熱壁とは、前記アンカー部の二次密封壁の上下部面にそれぞれ接着剤によって接着されることを特徴とする、請求項19又は20に記載の液化天然ガスの保存タンク。
【請求項２４】
前記アンカー部の二次断熱壁は、ポリウレタンフォーム材質の断熱材と、その上部面に接着されるプライウッド材質の板材とを含めることを特徴とする、請求項19又は20に記載の液化天然ガスの保存タンク。
【請求項２５】
前記アンカー部の一次断熱壁は、ポリウレタンフォーム材質の断熱材とその上下部面に接着されるプライウッド材質の板材とを含めることを特徴とする、請求項19又は20に記載の液化天然ガスの保存タンク。
【請求項２６】
前記アンカー構造体は、前記タンクの内部に形成される空間の底面及び左右隔壁に一定間隔で設置され、締結孔が形成されてロッド支持キャップが内蔵されたアンカーベース板を固定するアンカー下部板と、
前記ロッド支持キャップに垂直となるように固定されるアンカーロッドと、
前記アンカーロッドに中心部を挿入し固定されるアンカー部の二次断熱壁と、
前記アンカー部の二次断熱壁の上部面に固定され、前記アンカーロッドに中心部を挿入し固定されるアンカー部の二次密封壁と、
前記アンカー部の二次密封壁の上部面に固定され、前記アンカーロッドに中心部を挿入し固定されるアンカー部の一次断熱壁と、
前記アンカーロッドの上端部に固定され、前記アンカー部の一次断熱壁を固定する上部キャップと、
隣接配置される一次断熱壁の側部及び二次密封壁の上部面に固定され、前記アンカー部の一次断熱壁に所定の距離を離隔するように結合されて隣接する前記二次密封壁と、
前記アンカー部の二次密封壁の端部の上部に固定される平面部の連結断熱壁とを、
含むことを特徴とする、請求項17に記載の液化天然ガスの保存タンク。
【請求項２７】
前記平面部の連結断熱壁は、隣接配置される各一次断熱壁の側面と隣接する二次断熱材の上部に固定される二次密封壁の上部面とに固定されることを特徴とする、請求項26に記載の液化天然ガスの保存タンク。
【請求項２８】
前記平面部の連結断熱壁は、その下部の前記平面部の二次密封壁とアンカー部の二次密封壁とを、接着剤によって固定されることを特徴とする、請求項26又は27に記載の液化天然ガスの保存タンク。
【請求項２９】
前記平面部の連結断熱壁と前記アンカー部の一次断熱壁との間の空間部には、断熱材が充填されることを特徴とする、請求項26又は27に記載の液化天然ガスの保存タンク。
【請求項３０】
前記断熱材は、グラスウールであることを特徴とする、請求項29に記載の液化天然ガスの保存タンク。
【請求項３１】
前記コーナー構造体は、前記タンクに形成された、面が合うコーナー地点にそれぞれ面するように、L形態に形成されるコーナー部の二次断熱壁と、その上部面に形成されるコーナー部の二次密封壁及びその上部面に形成されるコーナー部の一次断熱壁と、前記コーナー部の一次断熱壁の上部面に保存タンクの荷重を受けることができるようにL形態のコーナー支持板とが非常に多数設置される、予備組立体として製作され、前記タンクの内部面にそれぞれ形成されるコーナー部の突出部材によって固定されることを特徴とする、請求項17に記載の液化天然ガスの保存タンク。
【請求項３２】
前記コーナー支持板は、熱による収縮及び伸長ができるように、前記コーナー部の一次断熱壁にスライディング移動ができるように設置されることを特徴とする、請求項31に記載の液化天然ガスの保存タンク。
【請求項３３】
前記一次断熱壁と二次断熱壁は、前記二次密封壁の上下部面に、それぞれ接着剤によって接着されることを特徴とする、請求項31に記載の液化天然ガスの保存タンク。
【請求項３４】
前記一次断熱壁、二次密封壁、二次断熱壁及びコーナー支持板は、予備組立体として製作されることを特徴とする、請求項31から33のいずれか一項に記載の液化天然ガスの保存タンク。
【請求項３５】
前記予備組立体は、前記タンクの内部面にそれぞれ形成されるコーナー部の突出部材によって固定されることを特徴とする、請求項34に記載の液化天然ガスの保存タンク。
【請求項３６】
前記二次密封壁は、前記一次断熱壁及び二次断熱壁の断面より突出するように形成されることを特徴とする、請求項31から33のいずれか一項に記載の液化天然ガスの保存タンク。
【請求項３７】
前記一次断熱壁及び二次断熱壁の下部面には板材が形成されて、前記板材は、その側面の端部が前記断熱材から突出するように形成されることを特徴とする、請求項31から33のいずれか一項に記載の液化天然ガスの保存タンク。
【請求項３８】
前記二次断熱壁と一次断熱壁は、前記二次断熱壁を貫通して突出する下部支持ロッドの上端部と、前記一次断熱壁を貫通して上部支持ロッドの下端部とを連結固定する、連結補強台によって機械的に結合することを特徴とする、請求項31から33のいずれか一項に記載の液化天然ガスの保存タンク。
【請求項３９】
前記下部支持ロッドは、前記二次断熱壁の下部面に固定されるロッド支持キャップに挿入し固定され、二次断熱壁を貫通した後に、その上端部を前記連結補強台に固定されることを特徴とする、請求項38に記載の液化天然ガスの保存タンク。
【請求項４０】
前記上部支持ロッドは、前記一次断熱壁の下部に固定され、且つ前記連結補強台に固定されるロッド支持キャップに挿入し固定されて、前記一次断熱壁を貫通して前記コーナー支持板を支持することを特徴とする、請求項38に記載の液化天然ガスの保存タンク。
【請求項４１】
二個の連続する密封壁及び二個の断熱壁を含めて、前記密封壁の中で一次密封壁は保存タンクに保存される液化天然ガスと接触し、その下部に一次断熱壁、二次密封壁、及び二次断熱壁の手順で配置される、液化天然ガスの保存タンクを製造する方法において、
前記タンクの内部に形成されるコーナー部にそれぞれ突出部材を形成して、前記タンクの内部面に一定間隔でアンカーベース板を付着固定する段階と、
前記形成されたコーナー部の突出部材を境にして、二次断熱壁、二次密封壁、一次断熱壁及びコーナー部の支持板で、予め組み立てられたコーナー構造体を付着固定する段階と、
前記固定されたコーナー構造体を前記コーナー部の突出部材に固定台として固定すると同時に、前記アンカーベース板の上部にアンカー下部板を固定し、中央部にアンカー支持ロッドを垂直に固定する段階と、
前記コーナー構造体を固定した固定台の一方に、二次断熱壁、二次密封壁、及び一次断熱壁に予め組み立てられた平面構造体の一側部を挿入し固定して、前記平面構造体の他方のコーナー部を、前記アンカーベース板及び前記アンカー下部板が成す空間部に挿入し固定する段階と、
前記コーナー構造体と平面構造体の二次断熱壁とが形成する空間部を断熱材で充填すると同時に、前記アンカー支持ロッドにアンカー部の二次断熱壁及びアンカー部の二次密封壁を挿入する段階と、
前記コーナー構造体の二次密封壁とそれに隣接する平面構造体の二次密封壁とを固定し、前記平面構造体の二次密封壁を相互に固定すると同時に、前記平面構造体の二次密封壁に隣接する前記アンカー部の二次密封壁を相互に固定する段階と、
前記アンカー支持ロッドにアンカー部の一次断熱壁を挿入した後に、アンカー上部板及びアンカー断熱板材を付着し固定し、前記アンカー支持ロッドの端部にアンカー上部キャップを付着し固定して、アンカー構造体の組立を完了する段階と、
前記コーナー構造体、平面構造体及びアンカー構造体が形成する一次断熱壁との間の空間部に断熱材で充填する段階と、
前記コーナー構造体、平面構造体、及びアンカー構造体の上部面に、しわ部を有する一次密封壁を付着し固定する段階とを、
含むことを特徴とする、液化天然ガスの保存タンクの製造方法。
【請求項４２】
前記アンカーベース板の上部にアンカー下部板を固定し、中央部にアンカー支持ロッドを垂直に固定する段階は、前記アンカーベース板にボルティング固定されたアンカー下部板の中央部で固定されたロッド支持キャップに、前記アンカー支持ロッドをボルティング結合して固定することを特徴とする、請求項41に記載の液化天然ガスの保存タンクの製造方法。
【請求項４３】
前記コーナー構造体と平面構造体の二次断熱壁とが形成する空間部を断熱材で充填する段階は、断熱材としてポリウレタンフォームを充填することを特徴とする、請求項４１又は請求項42に記載の液化天然ガスの保存タンクの製造方法。
【請求項４４】
前記コーナー構造体の二次密封壁とそれに隣接する平面構造体の二次密封壁とを固定して、前記平面構造体の二次密封壁を相互に固定すると同時に、前記平面構造体の二次密封壁と隣接する前記アンカー部の二次密封壁とを相互に固定する段階は、前記二次密封壁の下部に位置する下部固定板と、その上部面と対面するように位置する上部固定板をボルティング締結することによって固定することを特徴とする、請求項41又は42に記載の液化天然ガスの保存タンクの製造方法。
【請求項４５】
前記下部固定板と前記上部固定板とに、曲面形象が形成されることを特徴とする、請求項44に記載の液化天然ガスの保存タンクの製造方法。
【発明の詳細な説明】
【技術分野】
【０００１】
本発明は、船舶、陸上用タンク、車両などの構造物の内部に設置される液化天然ガスの保存タンク及びその製造方法に関し、詳細には超低温状態の液体の液化天然ガスを保存するタンクの構造を単純化して、組立工程を短縮すると同時に液密性を堅固に維持しながら機械的変形による応力をより容易く解消できる液化天然ガスの保存タンク及びその製造方法に関する。
【背景技術】
【０００２】
一般的に、液化天然ガス（Liquefied Natural Gas、LNG）は化石燃料の一種の天然ガスが液化したものとして、液化天然ガスの保存タンクは設置される位置によって、地上に設置されたり地中に埋め立てられたりする陸上型保存タンク、または自動車、船舶などの運送手段に設置される移動型保存タンクなどに仕分けされる。
【０００３】
前述の液化天然ガスは衝撃による爆発の危険性があり、超低温状態に保管されるので、これを保管する保存タンクは、高度の耐衝撃性及び液密性で保たれる構造を成す。このような保存タンクにおいて、流動のほとんどない陸上型保存タンクに比べて、流動のある自動車、船舶に設置される液化天然ガスの保存タンクの構造は、流動による機械的応力に備えて対策を工夫しなければならないという点で多少違いがある。しかし、機械的応力に備える対策が工夫された船舶に設置された液化天然ガスの保存タンクは、陸上型保存タンクとしても当然使用することができるので、本発明の明細書には、船舶に設置された液化天然ガスの保存タンクの構造を一例として説明する。
【０００４】
まずLNG輸送船の内部に設置される液化天然ガス（Liquefied Natural Gas、LNG）の保存タンクは、独立タンク型（Independent Tank Type）とメンブレン型（Membrane Type）に分けることができる。これは、断熱材に貨物の荷重が直接作用するかどうかによる分類であり、その具体的な内容は下記のとおりである。
【０００５】
下記の表１において、所謂GTT NO96-2型とGTT Mark III型は、1995年にGaz Transport（GT）社とTechnigaz（TGZ）社が、GTT（Gaztransport & Technigaz）社に名称が変更されて、GT型はGTT NO96-2型に、TGZ型はGTT Mark III型に、それぞれ改称されて使用されている。
前述のGT型及びTGZ型のタンクの構造は、特許文献1、特許文献2、特許文献3、特許文献4、特許文献5、及び特許文献6などに記載されている。
【表１】
2007525624.tif 000003
【０００６】
GTT社のメンブレン型のLNG船は、断熱材及び船体が直接的な荷重を受けて、貨物タンクと貨物タンクとの間における機械的な/熱的な特性に伴う危険性を避けるために、コファダム（Cofferdam）が設置され、コファダムの内部の空気温度は、コファダム側の船体内板の低温脆性を防ぐために+5℃以上を維持しなければならず、そのために、一般的に蒸気または高温水のような熱源を利用するために、加熱コイル（Heating Coil）のような加熱手段が設置されている。断熱材の施工は、まず船体に足場を設置して完成した後に、アクセスハウス（Access House）に、足場資材、陸上で完成された断熱材ボックス、メンブレン、及びその他の資材を搬入して設置する。球形タンクの場合、進水前の作業期間が長いのに比べて、メンブレン方式は進水後の期間が長い。
【０００７】
GTT社のメンブレン型の中でNO96-2型は、図1及び図2に図示したとおり、0.5〜0.7mmの厚さのインバー（Invar）鋼（36% Ni）を使用し、一次密封壁（１０）及び二次密封壁（１５）が、ほとんど同一の液密性及び強度を有するので、一次密封壁（１０）の漏洩時に、相当の期間を二次密封壁（１５）だけで貨物を安全に守ることができる。また、GTT NO96-2型の密封壁（１０、１５）は、メンブレン（Membrane）が直線型なので、Mark III型の波形メンブレンより熔接が簡単で自動化率は高いが、全体的な熔接の長さは、GTT NO96-2型の方が長い。
【０００８】
また、既存のGT型と現在採用されているGTT NO96-2型との最大の相違は、断熱材ボックス（断熱壁、１１、１６）を支持するU型バー（Bar）の代わりに、ダブルカップル（Double Couple）（１７）を利用するところにある。GTT NO96-2型のLNG船保存タンクの防熱断面に関する主要部分の機能は、表２のとおりである。
【表２】
2007525624.tif 000004
【０００９】
一方、GTT社のMark III型は、図3及び図4に図示されたとおり、一次密封壁（２０）は、1.2mmの厚さの波形が付いたステンレス鋼メンブレン（Membrane）で、低温による収縮は波形部のしわで吸収して、メンブレン内には大きな応力がほとんど発生しない。また、断熱壁（２１、２６）の材料として、ガラスウール（Glass Wool）、トリプレックス（Triplex）などが使用される。Mark III型は、一次及び二次断熱壁（Insulation）（２１、２６）を陸上で加工して一体型で搭載するので、ボックス型の一次及び二次断熱壁（２１、２６）をそれぞれ設置しなければならないGTT NO96-2型に比べて、施工が相対的に容易である。
【００１０】
GTT Mark III型のLNG船保存タンクの防熱断面に関する主要部分の機能は、下記の[表３]に示した。
【表３】
2007525624.tif 000005
【００１１】
上述のような構造になっているGTT NO96-2型保存タンクとGTT Mark III型保存タンクとにおいて、重要な部分を占めるところがコーナー部（Conner Part）の構造である。
【００１２】
ここで、液化天然ガスの保存タンクのコーナー部（角部）は、保存タンクを構成する各密封壁（メンブレン）の熱変形による荷重が非対称的に作用する区域として、このような非対称荷重を分散させることによって、保存タンクから発生する応力をが解消するように構造的に構成されなければならない。
【００１３】
このようなLNG保存タンクにおけるコーナー部（角部）に関する最近の技術としては、特許文献5に開示された“船舶の支持構造物内に設置されるタンクとして、改良されたコーナー構造を有する液密及び断熱タンク”がある。
【００１４】
図5に図示されたように、上述の特許文献5に開示されたコーナー部の構造は、船体内部面（１）と横断隔壁（２）とが成す角度90°の部位に、予備組立式の複合ガーダー（３０）を固定させるようになっていて、その複合ガーダー（３０）は、硬質のW型の金属形象体（３１）に一定間隔で形成される、強化ウェイブ（３９、点線部分）を内蔵した熱絶縁材（４０）で構成される。
【００１５】
これらの形式の予備組立式の複合ガーダー（３０）は、船体内部面（１）及び横断隔壁（２）に面する部分が、それぞれ重合樹脂（３４）を媒介にして固定されながら、両分岐面は、上述の横断隔壁（２）及び二重船体内部面（１）によってそれぞれ支持される固定手段（３２、３３）によって、船体のベアリング（Bearing）構造物に機械的に取り付けられるようにする。
【００１６】
また、上述の予備組立式の複合ガーダー（３０）の底部は、船体内部面（１）と横断隔壁（２）が接する角度90°の部位に排水空間（４１）が設けられるように、勾配（４２）が形成されている。
【００１７】
上述の予備組立式の複合ガーダー（３０）を利用してLNG保存タンクのコーナー部を組み立てる技術は、比較的に簡単な構造として、安い取付費、及び二重隔壁の塗装体を損傷せずに機械的衝撃に対する密封壁の抵抗性を改善するという効果を有しているが、保存タンクのコーナー部を構成する基本単位である予備組立式の複合ガーダー（３０）が、硬質の金属形象体（３１）で構成されていて、上述の金属形象体（３１）が、船体内部面（１）及び横断隔壁（２）に固定形成される機械的固定手段（３２、３３、ボルト-ナット）のために手作業で固定されるので、組立作業は簡単でない。
【００１８】
前述のメンブレン型LNG保存タンクのコーナー部の構造は、前述の保存タンクのコーナー部を構成する基本単位である予備組立式の複合ガーダー（３０）が、船体内部面（１）と横断隔壁（２）に堅固に固定される構造なので、船体の運行時あるいは波によって船体に部分的な応力を発生し、それに伴ってコーナー部に応力集中現象が発生する。そのため、数十年にも及ぶ応力集中を改善しようとする努力が行われており、更なる持続的な改善が必要である。そして、応力集中に限らず、超低温の液体LNGの気化による損失であるBOG（boil-off gas）の低減、構造の単純化、及び製造工程の単純化に関する持続的な改善が進んでいる。
【００１９】
【特許文献１】米国特許第６０３５７９５号明細書
【特許文献２】米国特許第６３７８７２２号明細書
【特許文献３】米国特許第５５８６５１３号明細書
【特許文献４】米国特許出願公開第２００３／００００９４９号明細書
【特許文献５】韓国特許公開第２０００-００１１３４７号明細書
【特許文献６】韓国特許公開第２０００-００１１３４６号明細書
【特許文献７】米国特許第４７４７５１３号明細書
【特許文献８】国際公開第８９０９９０９号パンフレット
【特許文献９】米国特許第５５０１３５９号明細書
【特許文献１０】特開２０００-０３８１９０号公報
【特許文献１１】特開２００１-１２２３８６号公報
【特許文献１２】韓国特許出願第２００１-００１０４３８号明細書
【特許文献１３】韓国特許出願第２００１-００１０１５２号明細書
【特許文献１４】米国特許第３２９９５９８号明細書
【特許文献１５】米国特許第３３０２３５９号明細書
【特許文献１６】米国特許第３５１０２７８号明細書
【発明の開示】
【発明が解決しようとする課題】
【００２０】
前述のメンブレン型の液化天然ガスの保存タンクは、超低温液状の液化天然ガスの気化による損失であるBOGの低減、複雑な断熱壁及び密封壁の構造単純化、製造工程の単純化によるタンクの乾燥期間の減少、及びタンク部分のコーナー部と密封壁とにおける応力解消などの点において、数十年に渡る改善の努力が行われているが、更なる改善の努力が必要である。
【００２１】
よって、本発明は、従来のメンブレン型の液化天然ガスの保存タンクと相異する、新しい構造のメンブレン型の液化天然ガスの保存タンクを発明して、上述の諸問題点を改善しようとする。
【００２２】
また、上述の保存タンクの底面に設置される断熱システムの平面構造体は複数から成り立つ構造であるから、各平面構造体はアンカー構造体によって固定される。一方、上述の断熱壁は、船舶の移動時に波や荷物のスロッシングなどによって船体に変形が生じ、それによって機械的応力が発生するので、それを解消するための持続的な技術開発が行われている。
【００２３】
本発明は、従来のメンブレン型のLNG保存タンクと相異する、新しい構造のメンブレン型のLNG保存タンクを提案しており、組立構造及び製造工程が単純化して、タンクの乾燥期間が短縮されるだけでなく、保存タンクに保存される液化天然ガスの貯蔵及び排出から発生する熱的な/機械的な応力を、より効率的に解消するための新しい構造の液化天然ガスの保存タンク及びその製造方法を提供するのがその目的である。
【課題を解決するための手段】
【００２４】
上述の目的を達成するために、本発明による液化天然ガスの保存タンクは、二個の連続する密封壁及び二個の断熱壁を含み、上述の密封壁の中で一次密封壁は、保存タンクに保存される液化天然ガスと接し、その下部に一次断熱壁、二次密封壁、及び二次断熱壁の手順で配置される液化天然ガスの保存タンクにおいて、上述の一次密封壁は、上述のタンクの底面と機械的に結合されるアンカー部によって支持され、上述の断熱壁は、上述の一次密封壁とタンクの底面との間にスライディングできるように設置される。ただし、タンク内の貨物の荷重に関しては、アンカー部と断熱壁とが等しく受けるが、一次密封壁はアンカー部にのみに溶接されて支持されるので、断熱壁が一次密封壁に対して若干のスライディングができる。タンクの設置される構造物が二重船体船舶の場合に、上述の“タンクの底面”（または内部面）は、当然船体の側面及び下面の内部壁と、タンクの上部壁及び横隔壁とを意味する。
【００２５】
ここで、スライディングは、船舶の場合に波などによって船体に捩れが発生して、その捩れによって船体に屈曲が生じる場合に、一次及び二次断熱壁で成り立つタンクの断熱システムは船体の内壁に接しているので、上述の断熱システムにも曲げ応力が生じるが、その曲げ応力に対して、断熱システムを破壊せずに断熱壁の各単位体が多少横方向に移動することができることを意味する。
【００２６】
上述の一次断熱壁及び二次断熱壁は、上述の二次密封壁の上下部面にそれぞれ接着剤（P）によって接着され予備組立体として形成されて、タンクの製造時に組立の単位になることが所望される。本発明において予備組立体として製作されるのは、タンクのコーナー部に設置されるコーナー構造体とタンクの平面底面部に設置される平面構造体とがある。上述の二次断熱壁は、ポリウレタンフォーム材質の断熱材と、その下部面に接着されるプライウッド材質の板材とを含めることができる。さらに、上述の一次断熱壁は、ポリウレタンフォーム材質の断熱材と、その上下部面に接着されるプライウッド材質の板材とを含めることができる。また、上述の二次密封壁の材質は、アルミニウムシーツ又は可撓性シーツ（Triplex、望ましくは rigid triplex）にすることもできる。
【００２７】
一方、上述の二次密封壁は、上述の一次断熱壁及び二次断熱壁の側面から突出し、予備組立体（平面構造体）の各単位体を組み立てる際に、隣接する予備組立体の二次密封壁またはアンカー部の二次密封壁と相互連結される。ここで、上述の一次密封壁の形象や材質に関しては特に制限がなく、下記に記載した本出願人によって公開された特許及びTGZ社によって公開された特許に記載されたとおり、ステンレス材質にすることも、しわ部を形成することもできる。
【００２８】
また、上述の二次断熱壁の間に形成される側面空間部は、ポリウレタンフォーム材質の断熱材で充填される。一方、上述の一次断熱壁の間に形成される側面空間部は、グラスウール（Glass Wool）材質の断熱材で充填することができる。
【００２９】
また、上述の二次密封壁の間に形成される側面空間部は（即ち、断熱壁の側面の間に）延長され、上述の空間部において上述の二次密封壁の端部は、上部固定板及び下部固定板によって連結し、上述の上部固定板及び下部固定板の結合面は、上述の二次密封壁の端部が挿入できるように形成された溝を含むことができる。ここで、上述の溝は、屈曲して形成されることができ、上述の下部固定板及び上部固定板の結合体は、その縦方向に多少の屈曲が存在するので多少余分の長さを持って、冷却による密封壁の収縮時にその応力を吸収することができる。
【００３０】
もう一つの実施例によれば、上述の二次密封壁は、上部面と下部面に樹脂材が塗布され、隣接する断熱壁が形成する側面空間部に延長されて、上述の空間部は、上述の二次密封壁の端部と接するように結合される上部連結部材及び下部連結部材を含み、上述の上部耐熱部材及び下部連結部材の結合面は、それぞれに凹凸部が形成されて、上述の二次密封壁の上部面と下部面に塗布された樹脂材を圧搾しながら結合することが所望される。このような結合方式は、二次密封壁の密封特性をより向上させる。
【００３１】
二次密封壁の連結に関する本発明の他の実施例によれば、上述のタンクの内部のコーナー部に結合されるコーナー構造体と、上述のタンクの内部の平面上においてスライディング移動ができるように位置する平面構造体と、上述のタンクに結合されて上述の平面構造体を上述のタンクの内部に付着させるアンカー構造体とを含めることができる。
【００３２】
ここで、上述の平面構造体は、上述のコーナー構造体が固定されたコーナー部の突出部材によって一方が固定され、上述のコーナー部の二次断熱壁に同一の高さで設置される平面部の二次断熱壁と、その上部面に形成される平面部の二次密封壁及びその上部面に形成される平面部の一次断熱壁とで成り立つ予備組立体として、製作されることが所望される。
【００３３】
また、上述のアンカー構造体は、上述の平面構造体が合うコーナー部位に機械的に固定される、アンカー下部板に固定されるアンカーロッドと、上述のアンカーロッドに中心部を挿入し固定して、上述の平面部の二次断熱壁に同一の高さで設置されるアンカー部の二次断熱壁と、上述のアンカーロッドに中心部を挿入してアンカー部の二次断熱壁の上部面に固定されながら、隣接する平面部の二次密封壁に機械的に締結されるアンカー部の二次密封壁と、上述のアンカーロッドに中心部を挿入して、アンカー部の二次密封壁の上部面に固定されるアンカー部の一次断熱壁と、上述のアンカー部の一次断熱壁の上部中心部である上述のアンカーロッドの上端部に固定される上部キャップとを含むことができる。
【００３４】
上述の構造において、上述のアンカー下部板は、それに隣接する予備組立体の単位構造体の二次断熱壁の下部板材を、上述のタンクの内部面に固定するように構成される。また、上述のアンカー部の二次密封壁は、外周面部に形成されたしわ部を含むことができる。ここで、上述のアンカー部の二次密封壁は、上述のアンカー部の一次断熱壁の断面より突出して、隣接する予備組立体の二次密封壁に連結する。また、上述のアンカー部の一次断熱壁とアンカー部の二次断熱壁とは、上述のアンカー部の二次密封壁の上下部面にそれぞれ接着剤（P）によって接着することができる。
【００３５】
一方、上述のアンカー部の二次断熱壁は、ポリウレタンフォーム材質の断熱材と、その上部面に接着されるプライウッド材質の板材とを含むことができる。また、上述のアンカー部の一次断熱壁は、ポリウレタンフォーム材質の断熱材とその上下部面に接着されるプライウッド材質の板材とを含むことができる。予備組立体の二次断熱壁の下端に接着されるプライウッド板材は、その側面部が突出してアンカー部を構成する、アンカー下部板によってタンクの下部面に固定される。このような固定によって各断熱壁の上向きの移動を防止し、水平には固定されているが、多少の移動は可能である。
【００３６】
一方、上述のコーナー構造体は、上述のタンクの内部に形成された、面が合うコーナー地点にそれぞれ接するように、L形態に形成されるコーナー部の二次断熱壁と、その上部面に形成されるコーナー部の二次密封壁及びその上部面に形成されるコーナー部の一次断熱壁と、上述のコーナー部の一次断熱壁の上部面に保存タンクの荷重を支持するようにL形態のコーナー支持板とがもっと多数設置される、予備組立体として製作され、上述のタンクの内部面にそれぞれ形成されるコーナー部の突出部材によって固定することができる。
【００３７】
上述のコーナー支持板は、熱による収縮及び伸長ができるようにするために、多少のスライディング移動が可能なように設置することができる。また、上述のコーナー部の一次断熱壁及び二次断熱壁は、上述の二次密封壁の上下部面に、それぞれ接着剤（P）によって接着することができる。それと共に、上述の一次断熱壁、二次断熱壁、及びコーナー支持板は、予備組立体として製作することができる。
【００３８】
一方、上述のコーナー部の予備組立体（コーナー構造体）は、タンクの内部面にそれぞれ形成されるコーナー部の突出部材によって固定することができる。また、上述の二次密封壁は、上述の一次断熱壁及び二次断熱壁の側面から突出するように形成することができる。また、上述の一次断熱壁及び二次断熱壁の下部面に板材が形成され、上述の板材は、その端部が上述の断熱材から突出するように形成され、上述の突出部材で、固定台によってタンク下部面に固定される。また、二次断熱壁の下部面は、タンクの壁面に接着剤（P）で接着されることが所望される。
【００３９】
また、上述のコーナー部の二次断熱壁及び一次断熱壁は、上述の二次断熱壁を貫通して突出する下部支持ロッドの上端部と、上述の一次断熱壁を貫通する上部支持ロッドの下端部とを連結固定する、連結補強台によって機械的に結合することができる。それだけではなく、上述の下部支持ロッドは、上述の二次断熱壁の下部面に固定されるロッド支持キャップに挿入し固定され、二次断熱壁を貫通した後に、その上端部を上述の連結補強台に固定することができる。また、上述の上部支持ロッドは、上述の一次断熱壁の下部に固定され、且つ上述の連結補強台に固定されるロッド支持キャップに挿入し固定されて、上述の一次断熱壁を貫通して上述のコーナー支持板を支持することができる。この支持方法は、熔接によって結合して支持されることが所望される。上述のコーナー支持板の上部には一次密封壁が位置し、一次密封壁及びコーナー支持板は熔接で結合する。このような構造によって、コーナー部の一次密封壁は、タンクの底面に結合される下部支持ロッド、下部支持ロッドに結合される上部支持ロッド、及び上部支持ロッドと結合されるコーナー支持板によって安定的に支持される。また、上述のコーナー支持板は、多少厚目の厚板で構成されるので、非対称応力が発生するコーナー部の一次密封壁を安定的に支持することができる。また、上述のコーナー支持板は、コーナー部の一次断熱壁と直接的な連結が弱く、一次断熱壁に対して多少のスライディングが可能で、それによって一次断熱壁と、コーナー支持板及び一次密封壁との、温度変化に伴う伸縮率の差による機械的応力の克服が可能である。
【００４０】
本発明におけるさらに他の実施例によれば、上述のアンカー構造体は、上述の平面構造体が合うコーナー部位に機械的に固定され、アンカー下部板に固定されるアンカーロッドと、上述のアンカーロッドに中心部を挿入し固定され、上述の平面部の二次断熱壁に同一の高さで設置されるアンカー部の二次断熱壁と、上述のアンカーロッドに中心部を挿入し、アンカー部の二次断熱壁の上部面に固定され、及び隣接する平面部の二次密封壁に機械的に取り付けられるアンカー部の二次密封壁と、上述のアンカーロッドに中心部を挿入し、アンカー部の二次密封壁の上部面に固定されるアンカー部の一次断熱壁と、上述のアンカー部の一次断熱壁の上部中心部である上述のアンカーロッドの上端部に固定される上部キャップとを含むことを特徴とする。
【００４１】
上述のアンカー下部板は、それに隣接する単位構造体の二次断熱壁の下部板材をタンクの内部面に固定する役目をする。上述のアンカー部の二次密封壁は、外周面部にしわ部を含むことが所望される。また、上述のアンカー部の一次断熱壁及びアンカー部の二次断熱壁は、上述のアンカー部の二次密封壁の上下部面に、それぞれ接着剤（P）で接着されることが所望される。
【００４２】
アンカー部におけるさらに他の実施例として、上述のアンカー構造体は、上述のタンクの内部に形成される空間の底面及び左右隔壁に一定間隔で設置され、締結孔が形成されてロッド支持キャップが内蔵されたアンカーベース板を固定するアンカー下部板と、上述のロッド支持キャップに垂直となるように固定されるアンカーロッドと、上述のアンカーロッドに中心部を挿入し固定されるアンカー部の二次断熱壁と、上述のアンカー部の二次断熱壁の上部面に固定され、上述のアンカーロッドに中心部を挿入し固定されるアンカー部の二次密封壁と、上述のアンカー部の二次密封壁の上部面に固定され、上述のアンカーロッドに中心部を挿入し固定されるアンカー部の一次断熱壁と、上述のアンカーロッドの上端部に固定され、上述のアンカー部の一次断熱壁を固定する上部キャップと、隣接配置される一次断熱壁の側部及び二次密封壁の上部面に固定され、上述のアンカー部の一次断熱壁に所定の距離を離隔するように結合されて隣接する上述の二次密封壁と、上述のアンカー部の二次密封壁の端部の上部に固定される平面部の連結断熱壁とを含むことを特徴とする。上述の平面部の連結断熱壁は、隣接配置される各一次断熱壁の側面と隣接する二次断熱材の上部に固定される二次密封壁の上部面とに固定され、上述の平面部の連結断熱壁は、その下部の上述の平面部の二次密封壁とアンカー部の二次密封壁とを、接着剤（P）によって固定されることが所望される。上述の平面部の連結断熱壁と上述のアンカー部の一次断熱壁との間の空間部には、断熱材が充填される。
【００４３】
本発明による液化天然ガスの保存タンクの製造方法は、二個の連続する密封壁及び二個の断熱壁を含んでおり、上述の密封壁の中で一次密封壁は、保存タンクに保存される液化天然ガスと接し、その下部に一次断熱壁、二次密封壁、及び二次断熱壁の手順で配置される、保存タンクを製造する方法において、上述のタンクの内部に形成されるコーナー部にそれぞれ突出部材を形成して、タンクの内部面に一定間隔ごとにアンカーベース板を付着し固定する段階と、上述の形成されたコーナー部の突出部材を境にして、二次断熱壁、二次密封壁、一次断熱壁、及びコーナー部の支持板で、予め組み立てられたコーナー構造体を付着し固定する段階と、上述の固定されたコーナー構造体を上述のコーナー部の突出部材に固定台として固定すると共に、上述のアンカーベース板の上部にアンカー下部板を固定し、中央部にアンカーロッドを垂直に固定する段階と、上述のコーナー構造体を固定した固定台の一方に二次断熱壁、二次密封壁、及び一次断熱壁の順に予め組み立てられた平面構造体の一側部を挿入し固定して、上述の平面構造体の他方側のコーナー部を、上述のアンカーベース板及び上述のアンカー下部板が成す空間部に挿入し固定する段階と、上述のコーナー構造体と平面構造体の二次断熱壁とが形成する空間部を断熱材で充填すると共に、上述のアンカー支持ロッドにアンカー部の二次断熱壁及びアンカー部の二次密封壁を挿入する段階と、上述のコーナー構造体の二次密封壁とそれに隣接する平面構造体の二次密封壁とを固定し、上述の平面構造体の二次密封壁を相互に固定すると共に、上述の平面構造体の二次密封壁に隣接する上述のアンカー部の二次密封壁を相互に固定する段階と、上述のアンカー支持ロッドにアンカー部の一次断熱壁を挿入した後に、アンカー上部板及びアンカー断熱板材を付着固定し、上述のアンカー支持ロッドの端部にアンカー上部キャップを付着し固定して、アンカー構造体の組立を完了する段階と、上述のコーナー構造体、平面構造体及びアンカー構造体が形成する一次断熱壁との間の空間部に断熱材で充填する段階と、上述のコーナー構造体、平面構造体、及びアンカー構造体の上部面に、しわ部を有する一次密封壁を付着し固定する段階とを含む。
【００４４】
上述のアンカーベース板の上部にアンカー下部板を固定し、中央部にアンカー支持ロッドを垂直に固定する段階は、上述のアンカーベース板にボルティング固定されたアンカー下部板の中央部で固定されたロッド支持キャップに、上述のアンカー支持ロッドをボルティング結合して固定することができる。上述のコーナー構造体と平面構造体の二次断熱壁とが形成する空間部を断熱材で充填する段階は、断熱材としてポリウレタンフォームを充填することができる。
【００４５】
また、上述のコーナー構造体の二次密封壁とそれに隣接する平面構造体の二次密封壁とを固定して、上述の平面構造体の二次密封壁を相互に固定すると共に、上述の平面構造体の二次密封壁と隣接する上述のアンカー部の二次密封壁とを相互に固定する段階は、上述の二次密封壁の下部に位置する下部固定板と、その上部面と対面するように位置する上部固定板をボルティング締結することによって固定することができる。ここで、上述のコーナー構造体の二次密封壁とそれに隣接する平面構造体の二次密封壁とを固定して、上述の平面構造体の二次密封壁を相互に固定すると共に、上述の平面構造体の二次密封壁に隣接する上述のアンカー部の二次密封壁を相互に固定する段階は、上述の二次密封壁をボルティング締結する下部固定板と、その上部面と対面するように位置する上部固定板とに形成される曲面部位によって、曲面形象で固定することができる。
【００４６】
上記に記載された本発明のLNG用タンクは、貨物の流動がある自動車、船舶に設置される液化天然ガスの保存タンク、及び流動がほとんどない陸上型タンクなどを含めており、本発明に基づくタンクは、上述の船舶、陸上用タンク、及び車両などに設置することができる。
【発明の効果】
【００４７】
また、本発明は、超低温状態の液体である液化天然ガスを輸送する船舶の内部に設置される、保存タンクの平面構造体を連結するアンカー部の構造を単純化して、組立工程を短縮すると共に、隣接する平面構造体の連結をより結束させることによってアンカー部の液密性を堅固に維持する。それと共に、船舶の航海時に波などによって船舶の船体に捩れが発生する場合に、本発明による断熱システムでは、一次密封壁がアンカー部に直接連結し、各断熱壁とは直接的な連結が弱いので、各断熱壁が一次密封壁に対して多少のスライディングが可能であって上述の船体の捩れに順応できるので、断熱システムの破壊は発生しない。
【００４８】
また、本発明は、超低温状態の液体である液化天然ガスを保存するタンクの内部に設置される、タンクのコーナー構造を単純化して組立工程を短縮すると共に、コーナー部の液密性を高度に維持する一方、コーナー部を支持することができる厚板材を設置することで、保存タンクの機械的な/熱的な収縮及び膨脹による応力を、より容易く解消して信頼性の高い船舶が提供できる長所がある。
【００４９】
また、本発明は、上述の平面部の連結断熱壁とその下の二次密封壁との接着剤（P）による結合、及び各上下連結部材の結合構造によって、アンカー部の周辺における二次密封壁の締結構造がより改善されて、液密性及び安全性がより増加する効果がある。
【発明を実施するための最良の形態】
【００５０】
以下に、添付された図面を参照して、本発明の構成を詳細に説明する。
【００５１】
本発明は、液化天然ガスの保存タンクとして、高圧、超低温状態の液化天然ガスを保存する。そのために、液化天然ガスの保存タンクは耐衝撃性及び液密性が堅固に維持される構造を成す。
【００５２】
貨物が流動する自動車、船舶に設置される液化天然ガスの保存タンクは、流動のほとんどない陸上型タンクに比べて、貨物の流動による機械的応力に対する対策を工夫しなければならないという点において相違がある。しかし、機械的応力に対する対策が用意された船舶に設置される液化天然ガスの保存タンクは、当然陸上型タンクにも使用することができるので、本発明の明細書には、船舶に設置された液化天然ガスの保存タンクの構造を一例として説明する。
【００５３】
本発明による液化天然ガスの保存タンクは、船舶の船体内部に形成された面に接するように設置される二次断熱壁と、その上部面に形成される二次密封壁と、その上部面に形成される一次断熱壁とを含んでおり、本発明においては、そのようなタンクを船舶の外部で予備組立体として、それぞれコーナー構造体及び平面構造体を予め製作してタンクの内部空間に組み立てることが所望される。
【００５４】
即ち、予め製作されたコーナー構造体を船体内部で先に固定した後に、これを基準に平面構造体を組み立て、これらの平面構造体の固定は、タンクの組立現場にてアンカー構造体を組み立てることで成り立つ。
【００５５】
図6は、本発明の一実施例による液化天然ガスの保存タンクを構成するコーナー構造体の内部構造を図示した断面図で、図7は、本発明の一実施例による船舶の内部に設置される、液化天然ガスの保存タンクのコーナー構造の連結関係を図示した全体斜視図である。また、図8は、本発明の一実施例による船舶の内部に設置される、液化天然ガスの保存タンクのコーナー構造を図示した部分拡大断面斜視図である。
【００５６】
本発明の一実施例によるコーナー構造体（１００）は、図6ないし図8に図示されたとおりに、船舶の船体面が合うコーナー地点にそれぞれ接するように、コーナー部の二次断熱壁（５３）がL形態に形成され、その上部面にコーナー部の二次密封壁（５２）が同一の形態で付着し固定され、さらにその上部面にコーナー部の一次断熱壁（５１）が形成される構造として予め組み立てられたものである。ここで、上述のコーナー部の一次断熱壁（５１）とコーナー部の二次断熱壁（５３）とは、上述のコーナー部の二次密封壁（５２）の上下部面にそれぞれ接着剤（P）で接着されて、堅固に密着固定されることが所望される。
【００５７】
上述で説明したコーナー支持板（５０）、一次及び二次断熱壁（５１、５３）、二次密封壁（５２）、及び上述の上部及び下部支持ロッド（７０、６０）の連結関係をより詳細に説明すると、次のとおりである。
【００５８】
液化天然ガス（LNG）を保存するための船舶の内部は、本発明のコーナー構造が設置できる空間を形成するように、下部底面（１）及びそれと一体化した隔壁（２）が形成され、本発明は、上述の下部底面（１）と左右あるいは横隔壁（２と）が、所定の角度で合う地点に設置されるコーナー構造に関するものである。従って、二次断熱壁の形象は、タンクの形態及びコーナーの位置によって、タンク面の接続角度が異なるので、その形態はL字よりさらに広がることもある。
【００５９】
上述のとおりに、上述の下部底面（１）と隔壁（２）とが所定の角度で合う地点には、上述の下部底面（１）及び隔壁（２）と接するL型の二次断熱壁（５３）が形成される。本発明の‘一次’及び‘二次’という用語は、保存タンクに保存される液化天然ガスを基準にして、液化天然ガスを一次的に密封または断熱する機能を有しているか、二次的に密封または断熱する機能を有しているかに対する区分を基準に使用されたものである。
【００６０】
上述の二次断熱壁（５３）は、ポリウレタンフォーム（Polyurethane Foam）材質の二次断熱材（５８）と、その下部面に接着されるプライウッド（Plywood）材質の二次断熱壁の板材（５６）とで形成され、上述の二次断熱壁の板材（５６）は、船体内部に形成される下部底面（１）及び隔壁（２）に接するようになる。断熱壁の構成方法、形象、及び材質などに関しては、特許文献7、特許文献8、特許文献9、特許文献3、特許文献10、特許文献1、及び特許文献11、などで公知であり、これらの特許と本発明に記載された内容とを参照して、これらの特許に記載された断熱壁及び接着される木材などを使用することもできる。
【００６１】
上述の二次断熱壁（５３）が形成されると、その上部面に二次密封壁（５２）が位置する。その二次密封壁（５２）は、保存タンクに保存された液化天然ガスの漏出ガスを、二次的に遮断するように機能する。そのような上述の二次密封壁（５２）の下部面に、上述の二次断熱壁（５３）の二次断熱材（５８）の上部面を接着剤（P）で接着する。このような二次密封壁（５２）の材質は、アルミニウムシーツまたは可撓性シーツ（所謂‘Triplex’）が所望される。上述の特許文献1では、flexible triplexについて記載しているが、本発明においては、より硬いrigid triplexを使うことが所望される。
【００６２】
上述のように、二次断熱壁（５３）と二次密封壁（５２）との結合が行われると、その上部面に形成される一次断熱壁（５１）との固定のための下部支持ロッド（６０）が、上述の二次断熱壁（５３）と二次密封壁（５２）とを貫通する。
【００６３】
即ち、上述の二次断熱壁（５３）には、上述の下部支持ロッド（６０）が貫通できる、貫通ホールが一定間隔で形成され、二次断熱壁の板材（５６）に形成される貫通ホールの下部には、上述の下部支持ロッド（６０）の下部が堅固に固定できるロッド支持キャップ（６１）が挿入されて、上述の二次断熱壁の板材（５６）に支持される。
【００６４】
上述のロッド支持キャップ（６１）に下部支持ロッド（６０）が挿入され、二次断熱壁（５３）を貫通した後に、上述の下部支持ロッド（６０）の下部は、ロッド支持キャップ（６１）の内部で固定ナット（６２）によって堅固に固定される。
【００６５】
また、上述の二次断熱壁（５３）を貫通した上述の下部支持ロッド（６０）の上部は、二次断熱壁（５３）の上部面に固定される二次密封壁（５２）を貫通するようになっていて、その二次密封壁（５２）は、下部支持ロッド（６０）の上部に取り付けられる支持ナット（６３）と密封壁の固定ナット（６４）とによって、下部支持ロッド（６０）上に固定される。
【００６６】
上述のとおりに、二次断熱壁（５３）及び二次密封壁（５２）を貫通して固定される、下部支持ロッド（６０）の上端部は、一次断熱壁（５１）の下部を貫通して固定される。
【００６７】
即ち、上述の一次断熱壁（５１）は、二次断熱壁（５３）の上部面に固定される二次密封壁（５２）に接して付着固定されるものとして、その構成は、上述の二次密封壁（５２）に接して接着剤（P）などによって付着固定される一次断熱壁（５１）の下部板材（５５）と、その上部面に形成される一次断熱材（５７）と、その上部面に付着固定される一次断熱壁（５１）の上部板材（５４）とである。上述の一次断熱壁の上部及び下部板材（５４、５５）は、プライウッド材質であり、一次断熱材（５７）は、ポリウレタンフォーム材質である。
【００６８】
この場合に、上述の下部支持ロッド（６０）が貫通する一次断熱壁（５１）の下部板材（５５）上には、後述する上部支持ロッド（７０）との固定のために、連結補強台（９０）が位置する。即ち、上述の二次断熱壁（５３）及び二次密封壁（５２）を貫通して固定される下部支持ロッド（６０）の上端部が、上述の一次断熱壁（５１）の下部板材（５５）上に位置する連結補強台（９０）を貫通して、ボルト-ナット締結方式で固定される。
【００６９】
上述の連結補強台（９０）には、多数の（本発明の図面では一対の）上部支持ロッド（７０）の下部が固定され、固定方式は、連結補強台（９０）の下部面に熔接のような方式で固定されるロッド支持キャップ（７１）に、上部支持ロッド（７０）が挿入された後で固定ナット（７２）によって固定される方式である。
【００７０】
従って、二次断熱壁（５３）及び二次密封壁（５２）を貫通する下部支持ロッド（６０）の上端部と、一次断熱壁（５１）を貫通する上部支持ロッド（７０）の下端部とが、堅固に固定される。
【００７１】
また、図6(a)において、上述の上部支持ロッド（７０）は、一次断熱壁（５１）とその上部板材（５４）を固定して支持し、その一次断熱壁（５１）の上部板材（５４）の上部面に、上述の保存タンクの非対称荷重が受けられるように、L型のコーナー支持板（５０）が位置して支持される。ここで、上述のコーナー支持板（５０）は、熱による収縮及び伸長ができるように、上述の一次断熱壁（５１）と接着剤（P）で結合せず、スライディング移動ができるように機械的に結合される。このようなコーナー支持板（５０）の上に、後述する一次密封壁（２５０）が熔接などの方法で結合されて配置される。
【００７２】
上部支持ロッド（７０）とコーナー支持板（５０）との結合方法に関するさらに他の実施例として、図6(b)がある。即ち、上部支持ロッド（７０）は、一次断熱壁（５１）とその上部の上部板材（５４）とを貫通してコーナー支持板（５０）に直接に締結して、コーナー支持板（５０）を支持する。この場合に、上部支持ロッド（７０）は、コーナー部の一次断熱壁（５１）との間に多少の空間が存在し、上述のコーナー支持板（５０）と一次断熱壁（５１）との間には、接着剤（P）などによる直接的な結合がないので、上述のコーナー支持板（５０）は、一次断熱壁（５１）に対して多少のスライディングが可能である。このようなスライディングは、一次断熱壁（５１）とコーナー支持板（５０）との間の材質の相違による温度変化に伴う伸縮率の差を解消してくれる。また、このような構造によって、コーナー部の一次密封壁は、タンクの底に結合された下部支持ロッド（６０）と、上述の下部支持ロッド（６０）に結合された上部支持ロッド（７０）と、上述の上部支持ロッド（７０）に結合されたコーナー支持板（５０）とによって、安定的に支持される。また、上述のコーナー支持板（５０）は、多少厚目の厚板で構成されるので、非対称応力が発生するコーナー部の一次密封壁を安定的に支持することができる。
【００７３】
また、本発明のコーナー構造体（１００）を形成する上述の二次密封壁（５２）の材質は、アルミニウムシーツまたは可撓性シーツ（Triplex）であり、上述のコーナー部の二次密封壁（５２）は、上述のコーナー部の一次断熱壁（５１）及びコーナー部の二次断熱壁（５３）の側面から、より突出するように形成されて、後工程で、隣接する平面部の予備組立体の二次密封壁（２０３）と締結する。
【００７４】
本発明による液化天然ガスの保存タンクを構成する平面構造体を図示した斜視図の図9を参照すると、本発明を構成する上述の平面構造体（２００）は、船体の外部で予め組み立られた状態で船体内部へ導入されるもので、このような平面構造体（２００）の構造は、上述のコーナー構造体（１００）と類似の構成を成し、平面部の一次断熱壁（２０４）の上部には、プライウッド材質の上部板材（２０５）が設置される。
【００７５】
即ち、船体内部面（１）に接する平面部の二次断熱壁（２０２）には、下部板材（２０１）が用意されて、その上部面にポリウレタンフォーム（Polyurethane Foam）材質の平面部の二次断熱壁（２０２）が附着され、その上部面にさらにアルミニウムシーツあるいは可撓性シーツ（Triplex、望ましくはRigid Triplex）材質の平面部の二次密封壁（２０３）が附着され、さらにその上部面に、ポリウレタンフォーム（Polyurethane Foam）材質の平面部の一次断熱壁（２０４）及びプライウッド材質の上部板材（２０５）が附着される構造で構成される。
【００７６】
また、上述の平面部の二次断熱壁の下部板材（２０１）と二次密封壁（２０３）とは、一次及び二次断熱壁（２０２、２０４）の側面から多少突出して、後工程で、隣接する平面構造体（２００）またはコーナー構造体（１００）と相互結合して固定され、コーナー構造体（１００）と接する面と反対側のコーナー部位は、本発明のアンカー構造体（１５０）によって組立及び固定されるように一部が切断された形象に形成されている。このような構造で構成される本発明の平面構造体（２００）の高さは、隣接するコーナー構造体（１００）の高さと同一になるように製作される。
【００７７】
図10は、船体の内壁に突出部材及びスタッドピン（１０９）を設置した斜視図、図11は、図10の突出部材にコーナー構造体を挿入した斜視図、図12は、図11のコーナー構造体を固定した斜視図、図13は、図12のコーナー構造体と隣接する平面構造体を配置した斜視図、図14は、図13の平面構造体が固定された後でアンカー支持ロッドを結合した斜視図、図15は、図14のアンカー支持ロッドにアンカー部の二次断熱壁及びアンカー部の二次密封壁を設置した斜視図、図16は、船体内壁に複数の平面構造体を固定した斜視図、図17は、図16の平面構造体に図示されたアンカー部の二次密封壁を固定した斜視図、図18は、図17のアンカー部の二次密封壁の上部にアンカー部の二次密封壁を挿入した斜視図、図19は、図18のアンカー部の二次密封壁を固定した斜視図、図20は、図19のアンカー部の二次密封壁にアンカー断熱板材を設置した斜視図、図21は、図20のアンカー断熱板材を固定した斜視図、図22は、一次断熱材が充填された斜視図、及び図23は、図22に一次密封壁が設置された斜視図である。
【００７８】
下記に、本発明の一実施例による液化天然ガスの保存タンク及びこれらのタンクが設置される過程を、図10から図23を参照して詳細に説明する。
【００７９】
本発明による液化天然ガスの保存タンクは、船体の下部底面（１）及びそれと左右方向又は横方向に、垂直又は一定角度に延長して形成される、左右側壁又は横隔壁（２）に設置される。
【００８０】
まず、コーナー構造体（１００）が固定できるコーナー部の突出部材（８０、８１）を、下部底部（１）及び隔壁（２）に固定する。この場合に、上述のコーナー部の突出部材（８０、８１）を固定する方法としては、熔接による方法が適切で、コーナー部からの間隔は、組立が完了したコーナー構造体（１００）が挿入できる程度にする。このように、コーナー部の突出部材（８０、８１）の間に挿入されるコーナー構造体（１００）は、上述の突出部材（８０、８１）との間に所定の隙間が形成される。
【００８１】
上述の突出部材（８０、８１）の間に、図10から図12に図示されたとおりに、上述のコーナー構造体（１００）が装着されると、上述の突出部材（８０、８１）に固定台（１０１）を固定する。この場合に、固定する方式は、上述の固定台（１０１）を上述の突出部材（８０、８１）にボルティング固定する方式を採用する。上述の固定台（１０１）は、上述の突出部材（８０、８１）とコーナー構造体（１００）との間の隙間に相当する突起が形成されて、上述の固定台（１０１）の固定時に、上述のコーナー構造体（１００）と突出部材（８０、８１）との間の隙間が埋められて、流動が防止できるようにすることが所望される。上述の船体内部の下部底部（１）又は隔壁（２）と、コーナー構造体（１００）の下面とは、ボンディング（Bonding）によって結合され、二次的には、上述の内部の突出部材（８０、８１）に本発明のコーナー構造体（１００）が付着されて、固定される。
【００８２】
また、それと共に、図13に図示されたとおりに、上述のコーナー構造体（１００）から連続的に設置される平面構造体（２００）を相互固定するためのアンカー構造体（１５０）のアンカーベース板（１１０）を、下部底部（１）及び隔壁（２）面に一定間隔で固定する。そのために、船体内部面に一定間隔で、一群のスタッドピン（１０９）を設置する。この場合に、上述のスタッドピン（１０９）は、上述の底面（１）又は隔壁（２）に接触する部分を尖らせる加工をした後に、上述のスタッドピン（１０９）が船体内壁面に加圧状態で熔接される。
【００８３】
次に、上述のスタッドピン（１０９）には、上述のスタッドピン（１０９）と対応する貫通孔が形成されて、上述のスタッドピン（１０９）に挿入されるアンカーベース板（１１０）を挿入する。この場合に、上述のアンカーベース板（１１０）は、船体内壁面に熔接またはボンディングによって結合されるようにする。また、上述のアンカーベース板（１１０）の厚さは、上述の平面部の二次断熱壁の下部板材（２０１）の厚さと同一である。
【００８４】
引き続いて、図14に図示されたとおりに、上述の平面部の二次断熱壁の下部板材（２０１）の突出部を覆うことができるように、上述のアンカーベース板（１１０）の上部にアンカー下部板（１１１）を結合する。そのために、上述のアンカー下部板（１１１）は、上述のスタッドピン（１０９）と対応する位置に貫通孔が形成され、上述のアンカー下部板（１１１）を貫通したスタッドピン（１０９）にはボルトが締結されることによって、上述のアンカーベース板（１１０）の固定が行われる。
【００８５】
このように、上述の平面構造体（２００）は、その下部板材（２０１）が、上述の固定台（１０１）または上述のアンカー下部板（１１１）によって固定されて上方向への移動が制限され、水平方向には多少のスライディングが可能である。
【００８６】
次に、図14と図15に図示されたとおりに、上述のアンカー下部板（１１１）の中央部に、アンカー支持ロッド（１１２）を垂直に固定する。
【００８７】
そのために、上述のアンカー下部板（１１１）の中央部には、所定の溝が形成される。また、上述のアンカー下部板（１１１）の下部に、アンカーベース板（１１０）が位置する。この場合に、上述のアンカーベース板（１１０）には、上述のスタッドピン（１０９）に対応する複数の貫通孔が形成され、上述のスタッドピン（１０９）に貫通孔を貫通させて、上述のアンカーベース板（１１０）を設置する。次に、上述のアンカーベース板（１１０）を貫通したスタッドピン（１０９）をナットで締結して、上述のアンカーベース板（１１０）を固定する。
【００８８】
一方、上述のアンカー下部板（１１１）の溝には、上述のアンカーベース板（１１０）の中央に形成されるホールを通してロッド支持キャップ（１２０）が設置される。上述のロッド支持キャップ（１２０）は、内部にナットが含まれたり、ナットの構造が一体化形成されるもので、本発明においては、上述のロッド支持キャップ（１２０）の中央部がナット加工され、上述のロッド支持キャップ（１２０）に前述のアンカー支持ロッド（１１２）が垂直に結合される方式を取る。ここで、上述のロッド支持キャップ（１２０）及びナットは、図8に図示されたロッド支持キャップ（６１）及び固定ナット（６２）と同一の方式である。
【００８９】
ここで、上述のアンカー支持ロッド（１１２）は、上部又は下部に熱伝逹を発生し得るが、設計時に上述のアンカー支持ロッド（１１２）の直径及び他の部品の熱伝逹率を考慮して、タンク内の液化天然ガスから船体への熱伝逹を最小化することが所望される。
【００９０】
このようなアンカー支持ロッド（１１２）は、後工程で附着される一次密封壁から発生する荷重を、一次的に支持する役目をするようになっていて、断熱壁の予備組立体は、一次密封壁との接着剤（P）などによる直接的な結合が弱いので、従来の断熱壁とは異なり一次密封壁に対して多少のスライディングが許容されて、船体の変形などに対してタンク構造の安全性が増大する。
【００９１】
上述のような固定方式で、本発明のアンカー下部板（１１１）及びアンカー支持ロッド（１１２）を中心にして、各平面構造体（２００）の位置を固定する。この場合に、上述の平面構造体（２００）は、上述の船体内部面（１）と上述のアンカー下部板（１１１）とが形成する隙間に挿入されて固定される。
【００９２】
上述の平面構造体（２００）は、船体外部で予め組み立てられた状態で船体内部へ導入されるもので、このような平面構造体（２００）の平面部の一次断熱壁（２０４）の上部には、上部板材（２０５）が接着される。
【００９３】
即ち、船体内部面（１）に面して平面部の二次断熱壁の下部板材（２０１）が用意され、その上部面にポリウレタンフォーム（Polyurethane Foam）材質の平面部の二次断熱壁（２０２）が附着され、その上部面に再びアルミニウムシーツまたは可撓性シーツ（Triplex）材質の平面部の二次密封壁（２０３）が附着され、さらにその上部面にポリウレタンフォーム（Polyurethane Foam）材質の平面部の一次断熱壁（２０４）及びその上部面にプライウッド材質の上部板材（２０５）が附着される構造を成す。
【００９４】
また、上述の平面部の二次断熱壁の下部板材（２０１）及び二次密封壁（２０３）は、一次及び二次断熱壁（２０２、２０４）の側面から多少突出して、後工程で、隣接する平面構造体（２００）又はコーナー構造体（１００）の二次密封壁と相互結合して固定されるために、コーナー構造体（１００）と接する面と反対側のコーナー部位は、本発明のアンカー構造体（１５０）によって組立及び固定されるように、一部が切断された形象に形成されている。このような構造で成り立つ本発明における平面構造体（２００）の高さは、隣接するコーナー構造体（１００）の高さと同一になるように製作される。
【００９５】
本発明において予め組み立てられた平面構造体（２００）が船体内部面に固定される方式は、コーナー構造体（図示されていない）を突出部材に固定する固定台の他方側に、平面部の二次断熱壁（２０２）の側面から突出した平面部の二次断熱壁の下部板材（２０１）が挿入されると共に、上述のコーナー構造体（１００）と接する面と反対のコーナー部位から突出した平面部の二次断熱壁の下部板材（２０１）が、船体内部面（１）に固定された金属材質のアンカーベース板（１１０）と、その上部面に固定されるプライウッド材質のアンカー下部板（１１１）とが形成する隙間に挿入される方式で固定される。
【００９６】
上述のとおりに、本発明のアンカー構造体を形成するアンカー下部板（１１１）及びアンカー支持ロッド（１１２）を中心に、上述の平面構造体（２００）が挿入されて固定されると、図15に図示されたとおり、アンカー部の二次断熱壁（１１３）が挿入される。そのアンカー部の二次断熱壁（１１３）の上部面には、円形のしわ部（１１５）が形成されたアンカー部の二次密封壁（１１４）が位置し、これらの二次密封壁（１１４）は、アンカー支持ロッド（１１２）に形成された板材（１２１）によって支持され、挿入後は、支持ロッド（１１２）にボルティング結合する固定ナット（１２３）によって堅固に固定される。
【００９７】
このような平面構造体（２００）の位置が固定されると、図15から図22に図示されたとおりに、コーナー構造体（１００）及び平面構造体（２００）の二次断熱壁（５３、２０２）が形成する空間部を、ポリウレタンフォーム材質の断熱材で充填すると共に、上述のアンカー支持ロッド（１１２）にアンカー部の二次断熱壁（１１３）及びアンカー部の二次密封壁（１１４）を挿入する。
【００９８】
上述のアンカー部の二次断熱壁（１１３）は、ポリウレタンフォーム材質の断熱材及びプライウッド材質の板材から成り、その上部面に付着し固定される四角いアンカー部の二次密封壁（１１４）は、アルミニウムシーツ又は可撓性シーツ（Triplex）材質である。
【００９９】
前述のとおりに構成されたLNG保存タンクは、船舶の移動時に波等で船体が撓む現象によって、部分的な応力が発生し、それによって船体に変形が生じると、断熱材及び二次密封壁に掛かる応力が増加する。このように、上述の密封壁に発生する応力を減少するために、上述のアンカー部の二次密封壁（１１４）には、図23に図示されたとおりに、円形のしわ部（１１５）が形成されることが所望される。即ち、上述のしわ部（１１５）は、上述の平面構造体（２００）のスライディング移動時に、上述の平面構造体（２００）がスライディング移動する方向へ伸長または収縮して、断熱材または密封壁に与えられる機械的な又は熱的な変形を防止する。
【０１００】
また、断熱壁層に生じる応力によって、上述の平面構造体（２００）間の連結が弱くなろうとする傾向がある。この場合に、本発明に基づく保存タンクの平面構造体（２００）は、上述のアンカー構造体（１５０）の上述のアンカー下部支持板（１１１）と係合しているので、離脱しない範囲で多少のスライディング移動が可能である。
【０１０１】
上述の理由によって、船体に応力が発生する場合に、上述のコーナー構造体（１００）は固定されたままの状態だが、各平面構造体（２００）は、船体変形時に部分的な横方向のスライディングが可能で、船体の変形を上述の断熱壁層自体で吸収することができる。
【０１０２】
上述のとおりに、本発明のコーナー構造体（１００）及び各平面構造体（２００）が船体内部面に設置された後に、各二次断熱壁が成す空間部に、ポリウレタンフォーム材質の断熱材（２１１）が充填され、その後でそれぞれ隣接する二次密封壁が、固定手段によって連結して固定される。
【０１０３】
即ち、コーナー構造体（１００）の二次密封壁（５２）とそれに隣接する平面構造体（２００）の二次密封壁（２０３）とを固定し、上述の平面構造体（２００）に隣接する二次密封壁（２０３）を相互に固定させると共に、上述の平面構造体（２００）の二次密封壁（２０３）と隣接する上述のアンカー部の二次密封壁（１１４）とを相互に固定させる。
【０１０４】
また、各一次断熱壁が成す空間部に、ポリウレタンフォーム材質の断熱材（２１０）が充填される。
【０１０５】
その上部には一次密封壁（２５０）が結合される。一次密封壁はアンカー部に熔接（望ましくはFillet熔接）される、望ましくは上部キャップ（１１９）に熔接される。一次密封壁については下記に詳細を記載する。
【０１０６】
図24は、本発明による液化天然ガスの保存タンクにおける二次密封壁を相互取り付ける手段を図示した拡大断面図で、図25は、本発明による液化天然ガスの保存タンクにおいて二次密封壁を相互取り付ける手段を図示した拡大斜視図である。また、図26は、本発明による液化天然ガスの保存タンクにおけるアンカー構造体の結合関係を拡大図示した部分断面斜視図である。
【０１０７】
ここで固定される方法は、図24及び図25に図示されたとおりの固定手段によって固定され、このような固定方式は、本発明における全ての二次密封壁を相互に固定するために、もれなく適用される。
【０１０８】
即ち、一例として図24に図示されたとおり、本発明のコーナー部の一次及び二次断熱材（５７、５８）と平面部の一次及び二次断熱壁（２０４、２０２）とが形成する空間部（即ち、断熱壁の隙間）に突出した各二次密封壁（５２、２０３）が近接する部位に、下部固定板（２１３）及び上部固定板（２１２）が、上述の二次密封壁（５２、２０３）の間に置かれて対面するように配置され、特にこの場合に限らないが、固定ボルト（２１４）で上述の下部固定板（２１３）及び上部固定板（２１２）を固定することによって、二次密封壁（５２、２０３）は堅固に固定される。ここで、下部固定板（２１３）及び上部固定板（２１２）は、金属材質を利用する。
【０１０９】
また、上述の下部固定板（２１３）及び上部固定板（２１２）は、上述の各二次密封壁（５２、２０３）を曲線形態で連結し固定する。これは、上述の各下部固定板（２１３）及び上部固定板（２１２）の対面部が、互いに対応する曲面凹凸部に形成されることによって可能となる。このように、二次密封壁の末端が曲線で連結することによって万一発生するかもしれない一次密封壁のガスの漏出に対する、二次密封壁の密封特性が向上する。
【０１１０】
また、下部固定板（２１３）及び上部固定板（２１２）の締結体は、その縦方向に多少の屈曲が存在して多少余分の長さを有することが望ましく、保存タンクに液化天然ガスが入れられて温度が下がり、熱的に収縮しても、その応力を吸収する余裕を提供するなど、機械的な/熱的な収縮及び膨脹作用に伴う負荷を容易く解消できる。
また、このような二次密封壁の結合構造は、二次密封壁を各断熱壁及び船体とは関係無く独立的に結合することによって、断熱壁に自由度をある程度提供でき、特に船体内部面の変形に伴う断熱壁の損傷を防止することができる。
【０１１１】
上述のとおりに、各コーナー構造体（１００）及び平面構造体（２００）が成す下部空間部に断熱材を充填し、各二次密封壁を固定手段で固定する。次に、上述のアンカー支持ロッド（１１２）に、ワッシャーが下端部に一体化形成されたナットを挿入し締結する。この場合に、上述のナットのワッシャーは、上述の断熱材の上部を所定の圧力で圧搾した状態で維持される。ここで、上述のナットは、船舶の保存タンクにLNGが保存された後に、上述のLNGの膨張圧によって断熱材の体積、即ち厚さが減少するために、設計時に断熱材の縮小厚さを勘案して、上述の支持ロッド（１１２）に締結される。
【０１１２】
次に、その上部面にアンカー断熱板材（１１８）を付着固定し、その中央部にさらに円形のアンカー上部キャップ（１１９）を挿入固定する。そのために、上述のアンカー断熱板材（１１８）の上部中央には所定の溝が形成され、その空間に前述のアンカー上部キャップ（１１９）が位置する。上述のアンカー上部キャップ（１１９）にはナットが含まれ、又はナットの構造が一体化形成されて、上述のアンカー支持ロッド（１１２）の上端と締結されることで、アンカー構造体（１５０）の組立を完了する。
【０１１３】
図26は、本発明による液化天然ガスの保存タンクにおけるアンカー構造体の結合関係を拡大図示した部分断面斜視図であり、一連の過程を経て組み立られた本発明によるアンカー構造体（１５０）は、図26に図示されたとおりの結合構造を持つ。
【０１１４】
上述の組立過程を経て、本発明によるコーナー構造体（１００）及び平面構造体（２００）が、船体内部面に設置され、アンカー構造体（１５０）の組立が完了すると、図20に図示されたとおりに、上述のコーナー構造体（１００）、各平面構造体（２００）及びアンカー構造体（１５０）が形成する一次断熱壁（２０４）の間の空間部（二次断熱壁が形成する空間部の上部）が断熱材で充填される。この場合に、充填される断熱材としては、グラスウールが適用され、これは、一次断熱壁の熱的収縮によって伸縮的に対応して、熱的な応力をより容易く解消するためである。また、船体における捩れの発生時に、予備組立体の単位体が、船体の捩れに順応して多少動くことができるようにする効果も有している。
【０１１５】
上述のとおりに、各組立構造体が形成する一次断熱壁の空間部にグラスウールのような断熱材を充填した後は、その上部面にしわ部（２５１）を有するメンブレン型の一次密封壁（２５０）を付着固定する。その一次密封壁（２５０）の材質は、主に耐食性及び熱的安全性に優れたステンレス材質を利用する。
【０１１６】
一方、上述の一次密封壁（２５０）の材質は、従来のMark III型タンクで知られ、又は本出願人によって公知された特許（特許文献12又は特許文献13）に提示された材質又は形象にすることも可能で、それらの変形もまた可能である。また、特許文献14、特許文献15、及び特許文献16などに記載された一次密封壁を用いることもできる。
【０１１７】
また、上述のしわ部（２５１）は、各組立構造体（１００、１５０、２００）によって形成される空間部に沿って縦方向に形成され、そのしわ部（２５１）を中心にして周辺部に多数のしわ部（２５１）が形成される。そのしわ部（２５１）は、保存される液化天然ガスと直接に接する、一次密封壁（２５０）の熱的な収縮及び膨脹作用が最も激しいので、それに伸縮的に対応して熱的な変形を容易く解消するためにある。また、上述のしわ部（２５１）が、各一次断熱壁が形成される空間部の上部に、同様の縦方向に形成される理由は、一次断熱壁に附着される二次密封壁の熱的な収縮及び膨脹にも相互依存的に対応して、保存タンクが受ける熱的な応力を容易く解消することができるからである。
【０１１８】
図27は、本発明における他の実施例による液化天然ガスの保存タンクの一部切取り斜視図である。
【０１１９】
本発明の他の実施例によれば、上述の液化天然ガスの保存タンクは、図27に図示されたとおり、液化天然ガスを保存する船舶のような構造物の内部に形成される空間に二次断熱壁（２９２）が設置され、その上部面に形成される二次密封壁（２９３）及び一次断熱壁（２９４）が設置される。
【０１２０】
ここで、上述の一次断熱壁（２９４）は、上述の二次断熱壁（２９２）の端部との間に形成される所定の空間部を含み、上述の空間部には、上述の一次断熱壁（２９４）及び二次密封壁（２９３）に結合される平面部の連結断熱壁（２９７）が設置される。
【０１２１】
上述の平面部の連結断熱壁（２９７）の中心部には、アンカー部の一次断熱壁（２７６）が設置され、上述の平面部の連結断熱壁（２９７）とアンカー部の一次断熱壁（２７６）との間の空間には、グラスウール（１２５）を含める断熱材が充填される。
【０１２２】
前述のとおりに、他の実施例による液化天然ガスの保存タンクの製造工程を見ると、次のとおりである。
【０１２３】
図28から図36は、本発明の他の実施例による液化天然ガスの保存タンクが、船体内部空間に組み立られる過程を順次に図示した斜視図である。
【０１２４】
本明細書の説明のために、各図面の各構成要素に参照符号を与えることにおいて、同一の構成要素に関しては、例え異なる図面上に表示されても同一の符号が使われていることに留意する。
【０１２５】
ついでに、本発明の他の実施例において、平面構造体またはコーナー構造体を固定する過程は前述の実施例と同一で、本発明における他の実施例では、同一の過程について省略する。
【０１２６】
前述の過程を経て、図28及び図29に図示されたとおりに、本発明のアンカー構造体（１５０）を形成する、アンカー下部板（１１１）及びアンカー支持ロッド（１１２）を中心にして、上述の平面構造体（２００）が挿入され固定されると、アンカー部の二次断熱壁（１１３）が挿入される。
【０１２７】
アンカー部の二次断熱壁（１１３）の上部面には、円形のしわ部（１１５）が形成されたアンカー部の二次密封壁（１１４）が位置するようになっていて、これらの二次密封壁（１１４）は、アンカー支持ロッド（１１２）に形成された板材（１２１）によって支持され、挿入された後は、支持ロッド（１１２）にボルティング結合する固定ナット（１２３）によって堅固に固定される。
【０１２８】
また、図30を参照すると、隣接配置された各平面部の一次断熱壁（２９４）の側面と、その下部に隣接して位置した平面部の二次断熱壁（２９２）の上部に固定された二次密封壁（２９３）の上部面とには、平面部の連結断熱壁（２９７）が設置され、本発明の実施例において、上述の平面部の連結断熱壁（２９７）は、上述の平面部の二次密封壁（２９３）又は上述のアンカー部の二次密封壁（２９４）の上面に、接着剤（P）で固定される。
【０１２９】
このように 接着剤（P）によって、上述の平面部の連結断熱壁（２９７）と二次密封壁(１１４、２９３)とが、より強く結合される。
【０１３０】
この場合に、上述の平面部の連結断熱壁（２９７）は、隣接した上述の平面部の一次断熱壁（２９４）の側面と一定の距離を離隔した隙間（1から4mm）が形成することが可能で、このように形成された隙間は、上述の船体の変形時に上述の平面構造体（２００）が流動できる空間を提供し、変形量を吸収することができるようになる。
【０１３１】
また、上述の平面部の連結断熱壁（２９７）は、隣接する二次密封壁（２９３）の上部に位置して、上述のアンカー部の二次密封壁（１１４）と平面部の二次密封壁（２９３）の端部とを固定する。
【０１３２】
これによって、上述の平面部の連結断熱壁（２９７）は、下記の平面部の二次密封壁（２９３）又は上述のアンカー部の二次密封壁（１１４）と、接着剤（P）で強く接着される。従って、万一の場合に一次密封壁が破損しても、液化天然ガスが、上述の平面部の二次密封壁（２９３）の連結部分又はアンカー部の二次密封壁（１１４）まで到逹することができないので、液化天然ガスの漏出を確実に遮断することができる。
【０１３３】
上述のとおりに、各二次密封壁（１１４、２９３）を固定手段によって固定した後は、図31から図36に図示した手順で、アンカー支持ロッド（１１２）にアンカー部の一次断熱壁（１１６）を挿入し、そのアンカー部の一次断熱壁（１１６）の上部面に形成し円形の凹部にアンカー上部板（３３７）を挿入して、アンカー支持ロッド（１１２）の上端部と固定する。
【０１３４】
次に、その上部面にさらにアンカー断熱板材（３３８）を付着固定させ、その中央部にさらに円形のアンカー上部キャップ（３３９）を挿入固定する。そのために、上述のアンカー断熱板材（３３８）の上部中央には、所定の溝が形成され、その空間に前述のアンカー上部キャップ（３３９）が位置するようになる。上述のアンカー上部キャップ（３３９）には、ナットが含まれ、又はナットの構造が一体化形成されて、上述のアンカー支持ロッド（３３２）の上端と締結されることによって、アンカー構造体（１５０）の組立作業が完了する。
【０１３５】
上述の組立過程を経て、本発明による、アンカー構造体と平面構造体（２００）とが形成する一次断熱壁（２７６、２９４）の間の空間部（二次断熱壁が形成する空間部の上部）に、断熱材を充填することができる。この場合に、充填される断熱材としては、グラスウール（３２５）を適用することができ、これは、一次断熱壁（２７６、２９４）の熱的な収縮に伸縮して対応し、熱的応力をより容易く解消するためである。
【０１３６】
上述の一次断熱壁（２７６、２９４）が形成する空間部にグラスウール（３２５）のような断熱材を充填した後に、図36に図示されたとおり、その上部面にしわ部（２５１）を有するメンブレン型の一次密封壁（２５０）を付着固定する。その一次密封壁（２５０）の材質には、主に耐食性及び熱的安全性が優れているステンレス材質を利用することができる。また、上述の一次密封壁（２５０）の材質は、従来のMark III型タンクで知られる、又は本出願人によって公知とされた特許（特許文献12又は特許文献13）に提示された材質で構成され、又はその形象においても変形が可能である。
【０１３７】
図37及び図38は、本発明による液化天然ガスの保存タンクにおいて、二次密封壁を相互締結させる状態図を拡大図示した断面図である。
【０１３８】
ここで上述の二次密封壁（２９３）が固定される方式は、図37及び図38に図示されたものと同一の固定手段によって固定され、これらの固定方式は、本発明における全ての二次密封壁（２９３）を相互固定する場合に、全て適用される。
【０１３９】
即ち、一例として図37に図示されたとおり、本発明において、隣接する平面部の一次及び二次断熱壁（２９２、２９４）が形成する空間部に突出した各二次密封壁（２９３）が近接する部位に、上述の平面部の二次密封壁（２９３）の端部とぴったり結合される、上部連結部材（３１２）及び下部連結部材（３１３）が設置される。
【０１４０】
また、上述の二次密封壁（２９３）は、上部面と下部面にそれぞれ樹脂材（２９３a）が塗布されて、隣接する断熱壁が形成する空間部に延長される。
【０１４１】
特にこの場合に限定されないが、直結ねじ（３１４）によって上述の下部連結部材（３１３）及び上部連結部材（３１２）を固定すると、上述の二次密封壁（２９３）が堅固に固定される。さらに、そのために、上述の平面部の連結断熱壁（２９７）には、上述の直結ネジ（３１４）を挿入するための貫通部（２９７a）が形成される。
【０１４２】
ここで、上述の固定ボルトまたは固定ネジ（３１４）は、上述の上部連結部材（３１２）または下部連結部材（３１３）を直接貫通しながら締結する構造として、別途のボルト締結孔を形成しないで作業が可能である。例えば、直結ネジ（self drilling screw）が使用可能である。
【０１４３】
また、上述の固定ネジ（３１４）には、平ワッシャー（３１４a）またはスプリングワッシャー（３１４b）が含まれ、上述の断熱材の上部を、所定の圧力で圧搾した状態で維持するようになる。ここで、上述の固定ネジ（３１４）は、LNGの膨脹圧による断熱材の体積、即ち厚さの減少量を考慮して、締結することが所望される。
【０１４４】
一方、上述の上部連結部材（３１２）及び下部連結部材（３１３）の締結面には、上述の二次密封壁（２９３）を収容する溝が形成される。また、上述の溝の両端部には、相互に対向または非対向するように形成される凹凸部（３１２a、３１３a）が形成される。前述の上部連結部材（３１２）及び下部連結部材（３１３）は、上述の固定ボルト（３１４）によって固定時に、上述の凹凸部（３１２a、３１３a）が、上述の二次密封壁（２９３）に塗布された樹脂材（２９３a）を圧搾するようになる。
【０１４５】
この場合に、上述の樹脂材（２９３a）は、上述の凹凸部（３１２a、３１３b）の間の凹部に収容されて、上述の二次密封壁（２９３）と上述の上部連結部材（３１２）又は下部連結部材（３１３）との間の隙間を密閉する。ここで、上述の樹脂材（２９３a）は、硬化性樹脂で構成されたものとして、圧搾成形された後に硬化する。
【０１４６】
従って、万一発生するかもしれない一次密封壁（２５０）の破損に伴うガス漏出に対する、二次密封壁（２０３）の密封特性が向上する。
【０１４７】
本発明は上述の各図面に図示されたような具体的な実施例として適用され、本発明がこれらの具体的な実施例に限らず、本発明における技術思想を逸脱しない範囲内で、多様に変形して実施することも可能である。
【０１４８】
さらに、本発明は、船舶の船体内部に設置される液化天然ガスの保存タンクだけではなく、陸上に設置される液化天然ガスの保存タンクにも同様に適用することができることは勿論である。
【産業上の利用可能性】
【０１４９】
上述のとおりに、本発明による液化天然ガスの保存タンクは、超低温状態の液体である液化天然ガスを輸送する船舶内部に設置される、保存タンクの設置構造をより単純化して組立工程を短縮すると共に、保存タンクの液密性を堅固に維持しながら、液化天然ガスの積載または荷役による機械的な変形に対する応力をより容易く解消し、信頼性の高い、船舶用、車両用、及び陸上用のタンクを提供することができる長所を有している。
【図面の簡単な説明】
【０１５０】
【図１】図1は、従来のメンブレン型の液化天然ガスの保存タンクであるGTT NO96-2型を図示した断面図及び斜視図である。
【図２】図2は、従来のメンブレン型の液化天然ガスの保存タンクであるGTT NO96-2型を図示した断面図及び斜視図である。
【図３】図3は、従来のメンブレン型の液化天然ガスの保存タンクであるGTT Mark III型を図示した断面図及び斜視図である。
【図４】図4は、従来のメンブレン型の液化天然ガスの保存タンクであるGTT Mark III型を図示した断面図及び斜視図である。
【図５】図5は、従来のLNG保存タンクのコーナー部の構造を図示した断面図である。
【図６（ａ）】図6(a)は、本発明の一実施例による液化天然ガスの保存タンクを構成するコーナー構造体の内部構造を図示した断面図である。
【図６（ｂ）】図6(b)は、本発明の一実施例による液化天然ガスの保存タンクを構成するコーナー構造体の内部構造を図示した断面図である。
【図７】図7は、本発明による船舶の内部に設置される液化天然ガスの保存タンクのコーナー構造の連結関係を図示した全体斜視図である。
【図８】図8は、本発明の一実施例による船舶の内部に設置される液化天然ガスの保存タンクのコーナー構造を図示した部分拡大断面斜視図である。
【図９】図9は、本発明の一実施例による液化天然ガスの保存タンクが船体内部空間に組み立てられる過程を順次的に図示した斜視図である。
【図１０】図10は、本発明の一実施例による液化天然ガスの保存タンクが船体内部空間に組み立てられる過程を順次的に図示した斜視図である。
【図１１】図11は、本発明の一実施例による液化天然ガスの保存タンクが船体内部空間に組み立てられる過程を順次的に図示した斜視図である。
【図１２】図12は、本発明の一実施例による液化天然ガスの保存タンクが船体内部空間に組み立てられる過程を順次的に図示した斜視図である。
【図１３】図13は、本発明の一実施例による液化天然ガスの保存タンクが船体内部空間に組み立てられる過程を順次的に図示した斜視図である。
【図１４】図14は、本発明の一実施例による液化天然ガスの保存タンクが船体内部空間に組み立てられる過程を順次的に図示した斜視図である。
【図１５】図15は、本発明の一実施例による液化天然ガスの保存タンクが船体内部空間に組み立てられる過程を順次的に図示した斜視図である。
【図１６】図16は、本発明の一実施例による液化天然ガスの保存タンクが船体内部空間に組み立てられる過程を順次的に図示した斜視図である。
【図１７】図17は、本発明の一実施例による液化天然ガスの保存タンクが船体内部空間に組み立てられる過程を順次的に図示した斜視図である。
【図１８】図18は、本発明の一実施例による液化天然ガスの保存タンクが船体内部空間に組み立てられる過程を順次的に図示した斜視図である。
【図１９】図19は、本発明の一実施例による液化天然ガスの保存タンクが船体内部空間に組み立てられる過程を順次的に図示した斜視図である。
【図２０】図20は、本発明の一実施例による液化天然ガスの保存タンクが船体内部空間に組み立てられる過程を順次的に図示した斜視図である。
【図２１】図21は、本発明の一実施例による液化天然ガスの保存タンクが船体内部空間に組み立てられる過程を順次的に図示した斜視図である。
【図２２】図22は、本発明の一実施例による液化天然ガスの保存タンクが船体内部空間に組み立てられる過程を順次的に図示した斜視図である。
【図２３】図23は、本発明の一実施例による液化天然ガスの保存タンクが船体内部空間に組み立てられる過程を順次的に図示した斜視図である。
【図２４】図24は、本発明の一実施例による液化天然ガスの保存タンクにおいて二次密封壁を相互締結する手段を図示した拡大断面図である。
【図２５】図25は、本発明の一実施例による液化天然ガスの保存タンクにおいて二次密封壁を相互締結する手段を図示した拡大斜視図である。
【図２６（ａ）】図26(a)は、本発明の一実施例による液化天然ガスの保存タンクのアンカー構造体の締結関係を拡大図示した部分断面斜視図である。
【図２６（ｂ）】図26(b)は、本発明の一実施例による液化天然ガスの保存タンクのアンカー構造体の締結関係を拡大図示した部分断面斜視図である。
【図２７】図27は、本発明の他の実施例による液化天然ガスの保存タンクの一部切取り斜視図である。
【図２８】図28は、本発明の他の実施例による液化天然ガスの保存タンクが船体内部空間に組み立てられる過程を順次的に図示した斜視図である。
【図２９】図29は、本発明の他の実施例による液化天然ガスの保存タンクが船体内部空間に組み立てられる過程を順次的に図示した斜視図である。
【図３０】図30は、本発明の他の実施例による液化天然ガスの保存タンクが船体内部空間に組み立てられる過程を順次的に図示した斜視図である。
【図３１】図31は、本発明の他の実施例による液化天然ガスの保存タンクが船体内部空間に組み立てられる過程を順次的に図示した斜視図である。
【図３２】図32は、本発明の他の実施例による液化天然ガスの保存タンクが船体内部空間に組み立てられる過程を順次的に図示した斜視図である。
【図３３】図33は、本発明の他の実施例による液化天然ガスの保存タンクが船体内部空間に組み立てられる過程を順次的に図示した斜視図である。
【図３４】図34は、本発明の他の実施例による液化天然ガスの保存タンクが船体内部空間に組み立てられる過程を順次的に図示した斜視図である。
【図３５】図35は、本発明の他の実施例による液化天然ガスの保存タンクが船体内部空間に組み立てられる過程を順次的に図示した斜視図である。
【図３６】図36は、本発明の他の実施例による液化天然ガスの保存タンクが船体内部空間に組み立てられる過程を順次的に図示した斜視図である。
【図３７】図37は、本発明による液化天然ガスの保存タンクにおいて二次密封壁を相互締結する状態図を図示した拡大断面図である。
【図３８】図38は、本発明による液化天然ガスの保存タンクにおいて二次密封壁を相互締結する状態図を図示した拡大断面図である。
【符号の説明】
【０１５１】
５０    コーナー支持板
５１    コーナー部の一次断熱壁
５２    コーナー部の二次密封壁
５３    コーナー部の二次断熱壁
５４、５６    板材
５７、５８    断熱材
６０    下部支持ロッド
６１    ロッド支持キャップ
７０    上部支持ロッド
８０、８１    コーナー部の突出部材
９０    連結補強台
１００    コーナー構造体
１０１    固定台
１０９    スタッドピン
１１０    アンカーベース板
１１１    アンカー下部板
１１３    アンカー部の二次断熱壁
１１４    アンカー部の二次密封壁
１１５    しわ部
１１９    アンカー上部キャップ
１５０    アンカー構造体
２００    平面構造体
２０１    下部板材
２０２    平面部の二次断熱壁
２０３    平面部の二次密封壁
２０４    平面部の一次断熱壁
２０５    上部板材
２１１    断熱材
２１２    上部固定板
２１３    下部固定板
２１４    固定ボルト
２５０    一次密封壁 
２５１    しわ部
【図１】
2007525624.tif 000006
【図２】
2007525624.tif 000007
【図３】
2007525624.tif 000008
【図４】
2007525624.tif 000009
【図５】
2007525624.tif 000010
【図６】
2007525624.tif 000011
【図７】
2007525624.tif 000012
【図８】
2007525624.tif 000013
【図９】
2007525624.tif 000014
【図１０】
2007525624.tif 000015
【図１１】
2007525624.tif 000016
【図１２】
2007525624.tif 000017
【図１３】
2007525624.tif 000018
【図１４】
2007525624.tif 000019
【図１５】
2007525624.tif 000020
【図１６】
2007525624.tif 000021
【図１７】
2007525624.tif 000022
【図１８】
2007525624.tif 000023
【図１９】
2007525624.tif 000024
【図２０】
2007525624.tif 000025
【図２１】
2007525624.tif 000026
【図２２】
2007525624.tif 000027
【図２３】
2007525624.tif 000028
【図２４】
2007525624.tif 000029
【図２５】
2007525624.tif 000030
【図２６】
2007525624.tif 000031
【図２７】
2007525624.tif 000032
【図２８】
2007525624.tif 000033
【図２９】
2007525624.tif 000034
【図３０】
2007525624.tif 000035
【図３１】
2007525624.tif 000036
【図３２】
2007525624.tif 000037
【図３３】
2007525624.tif 000038
【図３４】
2007525624.tif 000039
【図３５】
2007525624.tif 000040
【図３６】
2007525624.tif 000041
【図３７】
2007525624.tif 000042
【図３８】
2007525624.tif 000043
【国際調査報告】
2007525624.tif 000044
2007525624.tif 000045